(57)【要約】【課題】応募者から見て募集者が提示した募集条件が不十分であったとしても、募集者が応募者から希望する募集内容の応募を受けることができるようにする、応募者仲介方法と仲介サーバ、並びに仲介プログラムを得る。【解決手段】募集者と応募者とを仲介する方法であって、募集者の端末から、募集内容がサーバに入力されるステップと、サーバが、応募者の端末に入力された募集内容を送信し、応募者の端末から募集内容に対する応募内容と応募条件を受信し、応募者とは別の応募者の端末に応募条件を送信し、別の応募者の端末から応募条件に対する応募内容を受信し、募集者の端末に募集内容に対する応募内容と応募条件並びにこの応募条件に対する応募内容を送信し、募集者の端末から仲介申込を受信し、募集者の端末に応募者と別の応募者に関する情報を送信する。【選択図】  図３
2004227043.tif 000002
【特許請求の範囲】
【請求項１】
募集者と応募者とを仲介する方法であって、
募集者の端末から、募集内容がサーバに入力されるステップと、
上記サーバが、応募者の端末に、上記入力された募集内容を送信するステップと、
上記サーバが、上記応募者の端末から、上記募集内容に対する応募内容と応募条件を受信するステップと、
上記サーバが、上記応募者とは別の応募者の端末に、上記応募条件を送信するステップと、
上記サーバが、上記別の応募者の端末から、上記応募条件に対する応募内容を受信するステップと、
上記サーバが、上記募集者の端末に、上記募集内容に対する応募内容と応募条件、並びにこの応募条件に対する応募内容を送信するステップと、
上記サーバが、上記募集者の端末から、仲介申込を受信するステップと、
上記サーバが、上記募集者の端末に、上記応募者と上記別の応募者に関する情報を送信するステップ、とを有することを特徴とする応募者仲介方法。
【請求項２】
応募内容を受信したサーバは、募集者の端末に応募状況を送信する請求項１記載の応募者仲介方法。
【請求項３】
募集内容と共に募集条件がサーバに入力される請求項１または２記載の応募者仲介方法。
【請求項４】
サーバは、応募者の端末に、募集内容と共に応募の有無を送信する請求項１乃至３のいずれかに記載の応募者仲介方法。
【請求項５】
サーバは、別の応募者の端末に、応募条件と共に募集内容を送信する請求項１乃至４のいずれかに記載の応募者仲介方法。
【請求項６】
募集内容は希望融資額を含み、募集条件は事業計画である請求項３乃至５のいずれかに記載の応募者仲介方法。
【請求項７】
募集者と応募者とを仲介するサーバであって、
募集者の端末から、募集内容を受信する手段と、
応募者の端末に、上記入力された募集内容を送信する手段と、
上記応募者の端末から、上記募集内容に対する応募内容と応募条件を受信する手段と、
上記応募者とは別の応募者の端末に、上記応募条件を送信する手段と、
上記別の応募者の端末から、上記応募条件に対する応募内容を受信する手段と、
上記募集者の端末に、上記募集内容に対する応募内容と応募条件、並びにこの応募条件に対する応募内容を送信する手段と、
上記募集者の端末から、仲介申込を受信する手段と、
上記募集者の端末に、上記応募者と上記別の応募者に関する情報を送信する手段、とを有してなることを特徴とする応募者仲介サーバ。
【請求項８】
募集者と応募者とを仲介するコンピュータを、
募集者の端末から、募集内容を受信する手段、
応募者の端末に、上記入力された募集内容を送信する手段、
上記応募者の端末から、上記募集内容に対する応募内容と応募条件を受信する手段、
上記応募者とは別の応募者の端末に、上記応募条件を送信する手段、
上記別の応募者の端末から、上記応募条件に対する応募内容を受信する手段、上記募集者の端末に、上記募集内容に対する応募内容と応募条件、並びにこの応募条件に対する応募内容を送信する手段、
上記募集者の端末から、仲介申込を受信する手段、
上記募集者の端末に、上記応募者と上記別の応募者に関する情報を送信する手段、として機能させることを特徴とする応募者仲介プログラム。
【発明の詳細な説明】
【０００１】
【発明の属する技術分野】
本発明は、支援を募集する者（以下、「募集者」という）と、その募集に対して応募する者（以下、「応募者」という）とのマッチングに関するものであって、特に１人の募集者に対して複数の応募者の組を紹介するものである。
【０００２】
【従来の技術】
ある者が、別の者に支援を求める場合がある。たとえば、起業家が、新規事業に必要な資金の融資を投資家などに求める場合などがその例である。この例の場合、起業家は、投資家に対して事業計画を説明して希望融資額の融資を申し出ることになる。一方、投資家は、事業計画を判定し、その判定結果に応じて融資額を算出することになる。したがって、起業家の作成した事業計画が事業の成長にとって不十分である、と投資家に判定されると、融資額は少なく、あるいは融資を断られることとなる。
【０００３】
ここで、起業家は、投資家から融資を断られた場合、あるいは希望する融資額の融資が受けられない場合には、事業計画を修正して、再度融資を申し出る、あるいは別の投資家を探すこととなる。起業家は、事業計画を修正する場合には、投資家からの判定結果などを参考にすることになる。すなわち、たとえば、起業家がコンピュータプログラムに関する新規事業を立ち上げようとしていた場合であって、起業家が作成した事業計画には知的財産権に関する考慮が無く、投資家から知的財産権を考慮する必要があるから専門家を招いたほうが良いと判定された場合、起業家は、事業に参画してもらえる専門家を招いた後に、投資家にその旨を説明して再度融資を申し出ることになる。
これまでにも、事業計画の判定に関する提案（たとえば、特許文献１参照。）や、企業と投資家とを仲介する提案（たとえば、特許文献２，３参照。）がなされている。
【０００４】
【特許文献１】
特開２００２−２１５８９５
【特許文献２】
特開２００２−１５００３５
【特許文献３】
特開２００１−３２５４７７
【０００５】
【発明が解決しようとする課題】
しかしながら、起業家が、投資家の要求する条件をすべて満たすように事業計画を修正したり、あるいは別の投資家を探すことは負担となる場合が多い。たとえば、先の例であれば、起業家は、知的財産権の専門家を自身で探し出さなければならず、周囲に専門家がいなければ、探し出すことさえ困難となり、結果として融資を受けることができないことにもなる。つまり、募集者（起業家）が提示した募集条件（事業計画）が不十分であると応募者に判定されると、募集者は応募者から希望する募集内容（希望融資額）の応募を受けることが困難となるのである。
【０００６】
本発明は以上のような従来の実情に鑑みてなされたもので、応募者から見て募集者が提示した募集条件が不十分であったとしても、募集者が応募者から希望する募集内容の応募を受けることができるようにする、応募者仲介方法と仲介サーバ、並びに仲介プログラムを提供することを目的とする。
【０００７】
【課題を解決するための手段】
請求項１記載の発明は、募集者と応募者とを仲介する方法であって、募集者の端末から、募集内容がサーバに入力されるステップと、サーバが、応募者の端末に、入力された募集内容を送信するステップと、サーバが、応募者の端末から、募集内容に対する応募内容と応募条件を受信するステップと、サーバが、応募者とは別の応募者の端末に、応募条件を送信するステップと、サーバが、別の応募者の端末から、応募条件に対する応募内容を受信するステップと、サーバが、募集者の端末に、募集内容に対する応募内容と応募条件、並びにこの応募条件に対する応募内容を送信するステップと、サーバが、募集者の端末から、仲介申込を受信するステップと、サーバが、募集者の端末に、応募者と別の応募者に関する情報を送信するステップ、とを有することを特徴とする。
【０００８】
請求項２記載の発明は、請求項１記載の発明において、応募内容を受信したサーバは、募集者の端末に応募状況を送信することを特徴とする。
【０００９】
請求項３記載の発明は、請求項１または２記載の発明において、募集内容と共に募集条件がサーバに入力されることを特徴とする。
【００１０】
請求項４記載の発明は、請求項１乃至３のいずれかに記載の発明において、サーバは、応募者の端末に、募集内容と共に応募の有無を送信することを特徴とする。
【００１１】
請求項５記載の発明は、請求項１乃至４のいずれかに記載の発明において、サーバは、別の応募者の端末に、応募条件と共に募集内容を送信することを特徴とする。
【００１２】
請求項６記載の発明は、請求項３乃至５のいずれかに記載の発明において、募集内容は希望融資額を含み、募集条件は事業計画であることを特徴とする。
【００１３】
請求項７記載の発明は、募集者と応募者とを仲介するサーバであって、募集者の端末から、募集内容を受信する手段と、応募者の端末に、入力された募集内容を送信する手段と、応募者の端末から、募集内容に対する応募内容と応募条件を受信する手段と、応募者とは別の応募者の端末に、応募条件を送信する手段と、別の応募者の端末から、応募条件に対する応募内容を受信する手段と、募集者の端末に、募集内容に対する応募内容と応募条件、並びにこの応募条件に対する応募内容を送信する手段と、募集者の端末から、仲介申込を受信する手段と、募集者の端末に、応募者と別の応募者に関する情報を送信する手段、とを有してなることを特徴とする。
【００１４】
請求項８記載の発明は、募集者と応募者とを仲介するコンピュータを、募集者の端末から、募集内容を受信する手段、応募者の端末に、入力された募集内容を送信する手段、応募者の端末から、募集内容に対する応募内容と応募条件を受信する手段、応募者とは別の応募者の端末に、応募条件を送信する手段、別の応募者の端末から、応募条件に対する応募内容を受信する手段、募集者の端末に、募集内容に対する応募内容と応募条件、並びにこの応募条件に対する応募内容を送信する手段、募集者の端末から、仲介申込を受信する手段、募集者の端末に、応募者と別の応募者に関する情報を送信する手段、として機能させることを特徴とする。
【００１５】
【発明の実施の形態】
以下、図面を参照しながら本発明にかかる応募者仲介方法と仲介サーバ、並びに仲介プログラムの実施の形態について説明する。
【００１６】
なお、以下に説明する実施の形態は、起業家である募集者Ａが事業計画を添付して「１０００万円の融資を求める」旨を募集したのに対して、応募者Ｂ１，Ｂ２が応募する場合を例とする。ここで、応募者Ｂ１，Ｂ２のそれぞれは、応募に当たって条件を付ける。具体的には、資産家である応募者Ｂ１は、募集者Ａの作成した事業計画を閲覧した上で「知的財産権の専門家を顧問に招くことができれば１０００万円を融資する」旨を応募し、それを見た弁理士である応募者Ｂ２は、「１０００万円集まるなら顧問契約を結ぶ」旨を応募する。募集者Ａは、自分が作成した事業計画のみでは応募者Ｂ１から融資を受けることはできないが、応募者Ｂ２と顧問契約を結べば応募者Ｂ１から融資を受けることができる。以下、本発明について具体的に説明する。
【００１７】
図１は、本発明にかかる応募者仲介サーバ（以下、「本サーバ」という）の実施の形態を示すブロック図である。符号１は、本サーバを示し、通信ネットワーク４を介して端末２，３１，３２と接続する。端末２，３１，３２は、それぞれ、募集者Ａ、応募者Ｂ１，Ｂ２が本サーバ１を利用するために用いる端末である。
【００１８】
通信ネットワーク４の例としては、インターネットやＬＡＮなどのコンピュータ通信網がある。本サーバ１、端末２，３１，３２は、図示しない専用線、公衆交換電話網（ＰＳＴＮ）、無線電話網、ＣＡＴＶ網、衛星通信網等の通信回線を介して通信ネットワーク４と接続している。
【００１９】
端末２，３１，３２は、通信ネットワーク４を介して本サーバ１と通信することができる情報処理装置であればよく、たとえば、パーソナルコンピュータをはじめ、データ通信機能を有するＰＤＡ（Ｐｅｒｓｏｎａｌ  Ｄｉｇｉｔａｌ  Ａｓｓｉｓｔａｎｔ）や携帯電話機などがある。
【００２０】
本サーバ１は、端末２，３１，３２と通信ネットワーク４を介して通信することができる情報処理装置であればよく、たとえば、パーソナルコンピュータなどがある。ここで、本サーバ１は、いわゆるＷｅｂサーバとして動作して、端末２，３１，３２と情報交換（情報の送受信）を行う。ただし、本サーバ１と端末２，３１，３２との通信手段は、これに限定するものではない。
【００２１】
なお、本サーバ１では、本発明にかかる応募者仲介プログラム（以下、「本プログラム」という）が動作して本サーバ１内の各手段を制御することで、以下に説明する本発明にかかる応募者仲介方法（以下、「本方法」という）を実現する。ここで、本プログラムを用いれば、図示しないコンピュータを本サーバ１と同様に機能させることができる。すなわち、図示しないコンピュータが、本プログラムを読取、実行することで、本方法を実現することができる。
【００２２】
本サーバ１は、募集情報受信部１１，仲介情報蓄積部１２，応募情報受信部１３，応募状況送信部１４，仲介情報送信部１５，とを有してなる。
【００２３】
募集情報受信部１１とは、募集者の端末から募集情報を受信する手段である。
募集情報とは、募集内容と募集条件とを含む情報である。募集条件とは、応募者がその募集内容に対して応募すべきか否かを判断するための情報である。ここでは、募集情報の例として、募集内容は希望融資額、募集条件は事業計画とする。
【００２４】
仲介情報蓄積部１２とは、仲介情報を蓄積する手段である。仲介情報とは、本サーバ１が募集者Ａに応募者を仲介するために必要な情報である。
図２は、仲介情報蓄積部１２に蓄積された仲介情報の例を示す説明図であり、仲介情報が、（ａ）募集者情報、（ｂ）応募者情報、（ｃ）募集情報、（ｄ）応募情報、から構成されていることを示している。
【００２５】
応募情報受信部１３とは、応募者の端末から応募情報を受信する手段である。応募情報とは、応募内容と応募条件とを含む情報である。
【００２６】
応募状況送信部１４とは、募集者の端末に応募状況を送信する手段である。
【００２７】
仲介情報送信部１５とは、募集者の端末に仲介情報を送信する手段である。仲介情報とは、募集者に応募者を紹介するために必要な情報である。
【００２８】
図３は、本方法の実施の形態を示すシーケンスである。以下、図１乃至１２を参照しながら本方法について説明する。
【００２９】
先ず、募集者Ａは募集情報を本サーバ１に登録する。つまり、本サーバ１は、募集情報受信部１１を用いて、端末２から募集情報を受信し、仲介情報蓄積部１２に蓄積する（Ｓ１）。
図４は、募集者Ａが募集情報を本サーバ１に登録するための画面の例である。
募集情報受付画面Ｐ１は、いわゆるＷＥＢページであり、募集者Ａが端末２から画面Ｐ１のＵＲＬ（Ｕｎｉｆｏｒｍ  Ｒｅｓｏｕｒｃｅ  Ｌｏｃａｔｏｒ）を入力することで、画面Ｐ１が本サーバ１から端末２に送信され、端末２の出力装置に表示される。募集者Ａは、図４に示すように、表示された画面Ｐ１内に募集者ＩＤと共に、事業計画と募集内容を入力する。ここで、募集者ＩＤとは、募集者Ａを特定するために本サーバ１が採番して募集者Ａに払い出した情報である。募集者ＩＤは、募集者Ａが募集情報を登録する前に、本サーバ１に接続して募集者登録処理を行うことで払い出される。画面Ｐ１に入力された情報は、募集者Ａが画面Ｐ１内の「送信」ボタンを押下することで、本サーバ１に送信されるようになっている。
【００３０】
次に、応募者Ｂ１は募集者Ａが本サーバ１に登録した募集情報を閲覧して応募情報を本サーバ１に登録する。つまり、本サーバ１は、応募情報受信部１３を用いて、端末３１に募集情報を送信する（Ｓ２）と共に、端末３１から応募情報を受信して仲介情報蓄積部１２に蓄積する（Ｓ４）。ここで、本サーバ１が募集者Ａの登録した募集情報を端末３１に送信する方法として、図５に示す募集情報選択画面Ｐ２１を本サーバ１から端末３１に送信し、応募者Ｂ１に、閲覧を希望する募集情報を選択させる。つまり、応募者Ｂ１が、画面Ｐ２１のＵＲＬを端末３１から入力することで、画面Ｐ２１が本サーバ１から端末３１に送信され、端末３１に表示される。画面Ｐ２１には、その時点で本サーバ１内に登録されている募集情報の「募集内容」と「応募の有無」の一覧が表示されている。また、各募集情報の募集内容は、いわゆるハイパーテキスト形式となっていて、たとえば、画面Ｐ２１の文字列「希望融資額１０００万円」を支援者Ｂ１が選択（クリック）すると、図６に示す募集情報閲覧画面Ｐ３１が本サーバ１から端末３１に送信されるようになっている。
【００３１】
このように、応募者Ｂ１は、端末３１から募集情報選択画面Ｐ２１を受信し、閲覧を希望する募集情報を選択することで、募集情報閲覧画面Ｐ３１を受信することができる。ここでは、応募者Ｂ１が、募集者Ａの登録した募集情報の閲覧を希望したものとする。つまり、募集情報閲覧画面Ｐ３１には、募集者Ａの登録した事業計画と募集内容とが表示されていて、応募者Ｂ１は、募集情報を確認することができる（Ｓ３）。
【００３２】
募集情報を確認した応募者Ｂ１が、応募をする場合には、画面Ｐ３１内の「応募」ボタンを押下することで、図７に示す応募情報受付画面Ｐ４が本サーバ１から端末３１に送信されるようになっている。
応募者Ｂ１は、画面Ｐ４に応募者ＩＤと共に、応募内容と応募条件を入力する。ここで、応募者ＩＤとは、応募者を特定するために本サーバ１が採番して応募者に払い出した情報である。応募者ＩＤは、応募者Ｂ１が応募情報を登録する前に、本サーバ１に接続して応募者登録処理を行うことで払い出される。画面Ｐ４に入力された情報は、応募者Ｂ１が画面Ｐ４内の「送信」ボタンを押下することで、本サーバ１に送信されるようになっている。
【００３３】
本サーバ１は、応募情報を受信すると、募集者Ａの端末２に応募状況を送信する（Ｓ５）。図８は、本サーバ１から端末２に送信された応募状況閲覧画面Ｐ５１の例を示す図である。画面Ｐ５１には、応募者Ｂ１が登録した応募内容と応募条件とが表示されている。募集者Ａは、画面Ｐ５１を閲覧するのに先立って、本サーバ１から電子メールを受信し、その本文に記載された画面Ｐ５１のＵＲＬを基に画面Ｐ５１を受信することができるようになっている。つまり、本サーバ１は、端末３１から応募情報を受信すると、応募状況送信部１４を用いて、募集者Ａ宛ての電子メールを作成して送信し、端末２から画面Ｐ５１のＵＲＬを受信すると、端末２に画面Ｐ５１を送信する。
【００３４】
募集者Ａは、画面Ｐ５１を閲覧することで、自分の登録しておいた募集に対して１件の応募があり、その応募内容と応募条件を確認することができる。図８の例では、融資を受けるためには専門家を顧問に招く必要があることが分かる。したがって、募集者Ａは、専門家からの顧問引受けの応募があるのを引き続き待つことになる。
【００３５】
なお、本実施の形態では、本サーバ１は応募情報を受信する（Ｓ４）と、応募状況を送信する（Ｓ５）ようにしてあるが、応募情報を受信した際に、必ずしも応募状況を送信するようにしなくともよい。すなわち、本サーバ１内の図示しない手段を用いて、受信した応募情報を判定し、募集内容に対する一定の基準を超えた場合、たとえば、希望融資額が１０００万円の募集内容に対して、希望額の７０％、つまり７００万円以上の融資の応募があった際にのみ応募状況を募集者に通知するようにしてもよい。
【００３６】
次に、応募者Ｂ２は、募集者Ａが登録した募集情報と応募者Ｂ１が登録した応募情報とを閲覧して応募情報を本サーバ１に登録する。つまり、本サーバ１は、応募情報受信部１３を用いて、端末３２に募集情報を送信する（Ｓ６）と共に、端末３２から応募情報を受信して仲介情報蓄積部１２に蓄積する（Ｓ８）。ここで、本サーバ１が募集情報を送信する方法は、前述のＳ２の場合と同様であり、図９に示す募集情報選択画面Ｐ２２を用いて、応募者Ｂ２に閲覧を希望する募集情報を選択させる。ただし、本サーバ１は、選択された募集情報に応募がある場合には、募集情報と共にその応募情報も併せて送信するようになっている。すなわち、本実施の形態であれば、応募者Ｂ１が応募済の募集者Ａの募集情報を応募者Ｂ２が選択した場合には、応募者Ｂ２の端末３２には、募集者Ａが登録した募集情報と応募者Ｂ１が登録した応募情報が表示された図１０に示す募集情報閲覧画面Ｐ３２が送信される。
【００３７】
応募者Ｂ２は、画面Ｐ３２を閲覧して、応募者Ｂ１が条件付きで募集者Ａの希望する融資額を融資する意思があること、その条件が知的財産権の専門家を顧問に招くことであることを確認する（Ｓ７）。ここで、たとえば、弁理士である応募者Ｂ２が、融資が得られるのなら顧問を引き受けてもよいと考えた場合には、画面Ｐ３２の「応募」ボタンを押下することで、本サーバ１から端末３２に、前述の図７に示した応募情報受付画面が表示される。応募者Ｂ２が、画面に応募内容と応募条件とを入力して「送信」ボタンを押下することで、入力された情報が端末３２から本サーバ１に送信される（Ｓ８）。
【００３８】
本サーバ１は、応募情報を受信すると、募集者Ａの端末２に応募状況を送信する（Ｓ９）。図１１は、本サーバ１から端末２に送信された応募状況閲覧画面Ｐ５２の例を示す図である。画面Ｐ５２には、応募者Ｂ１が登録した応募内容と応募条件が「応募情報１」として、また、応募者Ｂ２が登録した応募内容と応募条件が「応募情報２」として表示されている。なお、画面Ｐ５２が本サーバ１から端末２に送信される方法については、前述の画面Ｐ５１の場合と同様である。
【００３９】
募集者Ａは、画面Ｐ５２を閲覧することで、自分の登録しておいた募集に対して２件の応募があり、それぞれの応募内容と応募条件を確認することができる。
図１１に示した例では、募集者Ａは、２つの応募を同時に受けることで希望する融資額を得ることができることが分かる。
そこで、募集者Ａは、仲介依頼を申し込む。つまり、本サーバ１は、仲介情報送信部１５を用いて、端末２から仲介依頼を受信し（Ｓ１１）、端末２に仲介情報を送信する（Ｓ１２）。仲介依頼は、募集者Ａが画面Ｐ５２内の「仲介申込」ボタンを押下することで、端末２から本サーバ１に送信されるようになっている。仲介依頼を受信した本サーバ１は、仲介情報蓄積部１２を検索して、募集者Ａが登録した募集情報に対して応募した応募者Ｂ１，Ｂ２の情報を抽出し、図１２に示す仲介情報閲覧画面Ｐ６を作成して端末２に送信する。
【００４０】
募集者Ａは、画面Ｐ６を閲覧することで、自分が登録した募集内容に対する応募者に関する情報、つまり、応募者Ｂ１，Ｂ２の氏名や連絡先などを確認することができる。したがって、募集者Ａは、応募者Ｂ１，Ｂ２に直接、つまり本サーバ１を介さずに連絡をして、応募者Ｂ１には融資を申し出ると共に応募者Ｂ２に対しては顧問契約の締結を申し出ることで、希望融資額を得ることができる。また同時に、募集者Ａが募集当初には思いも付かなかった事業にとって必要な専門家の登用という提案を応募者Ｂ１から受けることもでき、しかも必要とする専門家を募集者自らが探さなくとも、専門家である応募者Ｂ２自身から応募を受付けることができる。
【００４１】
ここで、本プログラムについて説明する。
図１３は、本プログラムの実施の形態を示すフローチャートであり、（ａ）は募集情報受信部１１を用いた募集情報の受付処理，（ｂ）は応募情報受信部１３を用いた応募情報の受付処理，（ｃ）は応募状況送信部１４を用いた応募状況の送信処理，（ｄ）は仲介情報送信部１５を用いた仲介情報の送信処理、について示している。
【００４２】
（ａ）に示す募集情報の受付処理は、本サーバ１が、募集者の端末から募集情報受付画面Ｐ１のＵＲＬを受信することで開始され、募集情報受付画面Ｐ１の送信（ａ１）、募集情報の受信（ａ２）、受信した募集情報の仲介情報蓄積部１２への蓄積（ａ３）で終了する。なお、ａ１，ａ２，ａ３は、図３中のＳ１の処理に相当する。
【００４３】
（ｂ）に示す応募情報の受付処理は、本サーバ１が、応募者の端末から募集情報選択画面Ｐ２１のＵＲＬを受信することで開始され、募集情報選択画面Ｐ２１の送信（ｂ１），募集情報閲覧画面Ｐ３１の送信（ｂ２），応募情報受付画面Ｐ４の送信（ｂ３），応募情報の受信（ｂ４），受信した応募情報の仲介情報蓄積部１２への蓄積（ｂ５）で終了する。なお、ｂ１，ｂ２は、図３中のＳ２やＳ６の処理に相当し、ｂ３，ｂ４，ｂ５は、図３中のＳ４やＳ８の処理に相当する。
【００４４】
（ｃ）に示す応募状況の送信処理は、本サーバ１が、（ｂ）に示す応募情報の受付処理を完了することで開始され、応募状況閲覧画面Ｐ５１を送信（ｃ１）して終了する。なお、ｃ１は、図３中のＳ５やＳ９の処理に相当する。
【００４５】
（ｄ）に示す仲介情報の送信処理は、本サーバ１が、募集者の端末から仲介依頼を受信することで開始され、仲介情報閲覧画面Ｐ６を送信（ｄ１）して終了する。なお、ｄ１は、図３中のＳ１２の処理に相当する。
【００４６】
このように、本プログラムは、本サーバ１内の各手段を制御することで、所定の処理を実現するように本サーバ１を動作させる。
なお、本プログラムは、図１３に示した処理のほかに、たとえば、前述の募集者登録処理や応募者登録処理なども併せて行うようにしてもよい。
【００４７】
以上説明した実施の形態によれば、募集者Ａが、本サーバ１に事業計画と共に希望融資額を登録しておくと、応募者Ｂ１から、希望融資額を融資する条件として「知的財産権の専門家を顧問に招くこと」という条件が課されるが、この条件に対して応募者Ｂ２から応募を受けることができる。つまり、本サーバは、募集者から募集内容と募集条件とを受付け、ある応募者からこの募集内容に対する応募内容と共に募集条件に不十分な点があればこれを応募条件として受付け、この応募条件を他の応募者からの応募で解消する、つまり応募条件に対する応募を受付けるようにしたことで、募集者が提示した募集条件が不十分であったとしても、募集者は複数の応募者からの応募によって希望する募集内容を受けることができる。
【００４８】
なお、以上説明した実施の形態において、募集者Ａは本サーバ１を利用することで、募集当初に登録した募集内容、つまり希望額の融資の応募を受けることができるものであったが、募集者は、募集当初の募集内容を応募状況によって変更することができるようにしてもよい。つまり、募集者Ａは、本サーバ１から応募状況を受付けた際、あるいは、募集を開始してからある程度時間が経過しても応募が無い場合などに、本サーバ１に登録しておいた募集内容を編集する機能を本サーバ１が提供する。具体的には、たとえば、本サーバが、図示しない手段を用いて、募集者の端末から募集者ＩＤを受付けると、本サーバ内に蓄積中の募集者ＩＤに対応する募集内容が募集者の端末に送信され、募集者は、送信された募集内容の一部を修正して本サーバに送信し、本サーバは、修正後の内容を蓄積し、以降、応募者に閲覧させたりするとよい。
【００４９】
また、以上説明した実施の形態では、募集者Ａの登録した募集内容に対して応募者Ｂ１，Ｂ２が応募するようにしたものであった、つまり、募集者Ａが得るのは１の提案であったが、募集者が得る提案の数は１に限定するものではない。図１４，１５は、募集者Ａが、応募者Ｂ１，Ｂ２と、応募者Ｂ３，Ｂ４の２つの応募グループからそれぞれ提案を受ける場合の実施の形態を示したシーケンスと応募状況閲覧画面の例である。ここでは、募集者Ａの募集に対して、先に説明した実施の形態のように応募者Ｂ１，Ｂ２が応募したのに加えて、応募者Ｂ３が応募者Ｂ１，Ｂ２の応募内容・応募条件を閲覧した上で、応募者Ｂ１，Ｂ２とは別の応募条件・応募内容で応募し、その応募条件に対して応募者Ｂ４が応募した場合である。このように、本発明によれば、募集者が登録した１の募集内容に対して複数の応募を受付けてグルーピングすることができ、募集者に対してグループごとの提案として応募状況を提供することができる。したがって、募集者は、自分が登録した募集に対する複数の応募グループからの提案を比較検討することができ、自身がより好ましいと考えるグループの提案を選択して仲介を申し込むことができる。
【００５０】
なお、これまで説明した実施の形態では、募集内容が新規事業に関する融資を例としたが、本発明に適用可能な募集内容はこれに限定するものではない。すなわち、募集者が提示した募集内容に対して複数の応募者からの応募を受付けて、それらを募集者に提示し、募集者が選択した応募者を仲介するものであれば、何であってもよい。したがって、たとえば、プロ野球の選手になりたい野球少年が、トレーニングメニューなどプロ野球の選手になるために自身が必要と考えるメニューと共にトレーナを募集した場合に、必要なトレーニング機器を揃えることができればトレーナになってもよいとの応募を受付け、別の応募者からは元プロ野球の選手をトレーナに招くことができればトレーニング機器を提供してもよい、などといった応募を受付けて、野球少年と、トレーナやトレーニング機器の提供者などとを仲介するものであってもよい。
【００５１】
【発明の効果】
本発明によれば、応募者から見て募集者が提示した募集条件が不十分であったとしても、募集条件の不十分な点を応募者から応募条件として受付け、その応募条件に対して別の応募者に応募させることで、募集者は希望する募集内容の応募を受けることができる。
【図面の簡単な説明】
【図１】本発明にかかる応募者仲介サーバの実施の形態を示すブロック図である。
【図２】上記サーバが備える仲介情報蓄積部に蓄積された仲介情報の例を示す図である。
【図３】本発明にかかる応募者仲介方法の実施の形態を示すフローチャートである。
【図４】上記サーバが、募集者から募集情報を受付ける画面の例を示す図である。
【図５】上記サーバが、応募者から閲覧を希望する募集情報の選択を受付ける画面の例を示す図である。
【図６】上記サーバが、応募者に募集情報を閲覧させる画面の例を示す図である。
【図７】上記サーバが、応募者から応募情報を受付ける画面の例を示す図である。
【図８】上記サーバが、募集者に応募状況を閲覧させる画面の例を示す図である。
【図９】上記サーバが、応募者から閲覧を希望する募集情報の選択を受付ける画面の別の例を示す図である。
【図１０】上記サーバが、応募者に募集情報を閲覧させる画面の別の例を示す図である。
【図１１】上記サーバが、募集者に応募状況を閲覧させる画面の別の例を示す図である。
【図１２】上記サーバが、募集者に仲介情報を閲覧させる画面の例を示す図である。
【図１３】本発明にかかる応募者仲介プログラムの実施の形態を示すフローチャートである。
【図１４】本発明にかかる応募者仲介方法の別の実施の形態を示すシーケンスである。
【図１５】募集者に応募状況を閲覧させる画面のさらに別の例を示す図である。
【符号の説明】
１    応募者仲介サーバ
２    端末（募集者用）
３    端末（応募者用）
４    通信ネットワーク
【図１】
2004227043.tif 000003
【図２】
2004227043.tif 000004
【図３】
2004227043.tif 000005
【図４】
2004227043.tif 000006
【図５】
2004227043.tif 000007
【図６】
2004227043.tif 000008
【図７】
2004227043.tif 000009
【図８】
2004227043.tif 000010
【図９】
2004227043.tif 000011
【図１０】
2004227043.tif 000012
【図１１】
2004227043.tif 000013
【図１２】
2004227043.tif 000014
【図１３】
2004227043.tif 000015
【図１４】
2004227043.tif 000016
【図１５】
2004227043.tif 000017